(57)【要約】【課題】  光ファイバ素線又は光ファイバ心線からなる光ファイバの取り出し性向上させるようにする。【解決手段】  ２本の光ファイバ素線２１又は光ファイバ心線２７からなる光ファイバ３と、この光ファイバを挟んでその両側に平行に配置された少なくとも一対の抗張力体５と、光ファイバと一対の抗張力体とを被覆した外被７と、一対の抗張力体の中心軸を通る第１平面９と垂直で、かつ各光ファイバが接する接点１１を通る第２平面１３の両側の離れた外被の表面に形成されたノッチ１５とで長尺の光エレメント部１７を構成する光ファイバケーブル１であって、接点１１を中心に２本の光ファイバ素線２１又は光ファイバ心線２７からなる光ファイバを第１平面９に対して回転させ、各光ファイバ３の中心を通る第３平面１９と第１平面９との回転角度が反時計方向回りまたは時計方向回りに１０°以上で７０°以下に光ファイバが配列されていることを特徴とする。【選択図】  図１
2006113105.tif 000002
【特許請求の範囲】
【請求項１】
２本の光ファイバ素線又は光ファイバ心線からなる光ファイバと、この光ファイバを挟んでその両側に平行に配置された少なくとも一対の抗張力体と、前記光ファイバと一対の抗張力体とを被覆した外被と、前記一対の抗張力体の中心軸を通る第１平面と垂直で、かつ前記各光ファイバが接する接点を通る第２平面の両側の離れた前記外被の表面に形成されたノッチとで長尺の光エレメント部を構成する光ファイバケーブルであって、前記接点を中心に前記２本の光ファイバ素線又は光ファイバ心線からなる光ファイバを前記第１平面に対して回転させ、前記各光ファイバの中心を通る第３平面と前記第１平面との回転角度が反時計方向回りまたは時計方向回りに１０°以上で７０°以下に前記光ファイバが配列されていることを特徴とする光ファイバケーブル。
【請求項２】
前記外被の断面が矩形形状であることを特徴とする請求項１記載の光ファイバケーブル。
【請求項３】
前記外被の断面が円形形状であることを特徴とする請求項１記載の光ファイバケーブル。
【請求項４】
前記光エレメント部に、支持線を外被で被覆した長尺のケーブル支持線部が互いに平行に一体化されていることを特徴とする請求項２記載の光ファイバケーブル。
【発明の詳細な説明】
【技術分野】
【０００１】
この発明は、光ファイバ素線又は光ファイバ心線からなる光ファイバの取り出し性を向上させる光ファイバケーブルに関する。
【背景技術】
【０００２】
従来の光ファイバケーブルとしての光ファイバドロップケーブル、インドア光ファイバケーブル、ターミネーションケーブルのような構内ケーブルは通常、クロージャー内での接合や宅内への引き込みなどの際に光ファイバケーブルから引き裂き、内部の光ファイバ素線又は光ファイバ心線を取り出し加工を施す。この際に、光ファイバケーブルを引き裂いた際の光ファイバ素線又は光ファイバ心線の取り出し性が重要となる。
【０００３】
従来の光ファイバケーブルとしての例えばインドア光ファイバケーブル１０１は、図５（Ａ）に示されているように、２本の光ファイバ素線又は光ファイバ心線からなる光ファイバ１０３と、この光ファイバ１０３を挟んでその両側に平行に配置された少なくとも一対の抗張力体１０５と、前記光ファイバ１０３と一対の抗張力体１０５とを被覆した断面形状が矩形形状からなる外被１０７と、前記光ファイバ１０３と一対の抗張力体１０５の中心軸（Ｘ軸）を通る第１平面１０９と垂直で、かつ前記光ファイバ１０３の中心軸（Ｙ軸）を通る第２平面１１１の両側の離れた前記外被１０７の表面に形成されたノッチ１１３とで長尺の光エレメント部１１５を構成している。
【０００４】
そして、前記光ファイバ１０３としての例えば光ファイバ素線１１７は、図８（Ａ）に示されているように、石英光ファイバ１１９とこの石英光ファイバ１１９に被覆されたＵＶ樹脂１２１とで構成されている。また、前記光ファイバ１０３としての例えば光ファイバ心線１２３は、図８（Ｂ）に示されているように、石英光ファイバ１１９とこの石英光ファイバ１１９に被覆されたシリコン樹脂１２５とこのシリコン樹脂１２５に被覆れた例えばナイロン樹脂１２７とで構成されている。
【０００５】
上記構成により、光ファイバ１０３の光ファイバ素線１１７又は光ファイバ心線１２３を取り出す場合にはノッチ部１１３から外被１０７に裂け目を入れることで、外被１０７を２つに引き裂き、インドア光ファイバケーブル１０１から光ファイバ１０３の光ファイバ素線１１７又は光ファイバ心線１２３を取り出すことができる。
【０００６】
また、従来の光ファイバケーブルとしての例えば光ファイバドロップケーブル１２９は、図６（Ａ）に示されているように、前記図５（Ａ）で示した長尺の光エレメント部１１５とこの光エレメント部１１５における外被１０７の図６（Ａ）において左側に首部１３１を介して吊り線１３３を被覆した外被１３５が一体化されてケーブル支持線部１３７とで構成されている。しかも、前記吊り線１３３の中心軸（Ｘ軸）を通る平面は前記平面１０９と一致している。さらに、前記光ファイバ１０３としての例えば光ファイバ素線１１７、光ファイバ心線１２３は上述したごとく図８（Ａ）、（Ｂ）で説明したものと同じである。
【０００７】
この光ファイバドロップケーブル１２９においても、光ファイバ１０３の光ファイバ素線１１７又は光ファイバ心線１２３を取り出す場合にはノッチ部１１３から外被１０７に裂け目を入れることで、外被１０７を２つに引き裂き、インドア光ファイバケーブル１０１から光ファイバ１０３の光ファイバ素線１１７又は光ファイバ心線１２３を取り出すことができる。
【０００８】
従来の光ファイバケーブルとしての例えば丸型光ファイバケーブル１３９は、図７（Ａ）に示されているように、例えば２本の光ファイバ素線又は光ファイバ心線からなる光ファイバ１０３と、この光ファイバ１０３を挟んでその両側に平行に配置された少なくとも一対の抗張力体１０５と、この前記光ファイバ１０３と一対の抗張力体１０５とを被覆した断面形状が丸形形状からなる外被１０７と、前記光ファイバ１０３と一対の抗張力体１０５の中心軸（Ｘ軸）を通る第１平面１０９と垂直で、かつ前記光ファイバ１０３の中心軸（Ｙ軸）を通る第２平面１１１の両側の離れた前記外被１０７の表面に形成されたノッチ１１３とで長尺の光エレメント部１１５を構成している。そして、前記光ファイバ１０３としての例えば光ファイバ素線１１７、光ファイバ心線１２３は上述したごとく図８（Ａ）、（Ｂ）で説明したものと同じである。
【０００９】
この丸型光ファイバケーブル１３９においても、同様に光ファイバ１０３の光ファイバ素線１１７又は光ファイバ心線１２３を取り出す場合にはノッチ部１１３から外被１０７に裂け目を入れることで、外被１０７を２つに引き裂き、丸形光ファイバケーブル１３９から光ファイバ１０３の光ファイバ素線１１７又は光ファイバ心線１２３を取り出すことができる。
【００１０】
また、光ファイバ心線の取り出し性を向上させるために、特許文献１に示されているように、ノッチ部を左右部にずらした構造の光ファイバケーブルや特許文献２に示されているように、光ファイバ心線と抗張力体とが０〜０．３ｍｍの範囲を開けて近接して設けられている。
【特許文献１】特開平１０−３０１００２号公報
【特許文献２】特開２００４−１２８３２号公報
【発明の開示】
【発明が解決しようとする課題】
【００１１】
ところで、上述した従来の図５（Ａ）で示した光ファイバケーブルのインドア光ファイバケーブル１０１、図６（Ａ）に示した光ファイバドロップケーブル１２９および図７（Ａ）に示した丸型光ファイバケーブル１３９において、ノッチ１１３から外被１０７の最短距離にある引き裂き線１４１に沿って裂け目を入れることで、外被１０７を２つに引き裂いた際に、製造時の光ファイバ１０３の位置のバラツキにより、相対的に最短距離にある片方の例えば左側の光ファイバ１０３の光ファイバ素線１１７又は光ファイバ心線１２３に集中し、亀裂が生じ、図５（Ｂ）、図６（Ｂ）および図７（Ｂ）に示したごとく、引き裂き時の残樹脂の影響でもう一方の右側の光ファイバ１０３の光ファイバ素線１１７又は光ファイバ心線１２３は外被１０７の開口部が狭いため取り出し性が著しく悪化する。特に低温環境下での口出しの際には外被１０７の樹脂のヤング率が上昇するため（樹脂が硬くなるため）、引き裂き部で光ファイバ１０３の光ファイバ素線１１７又は光ファイバ心線１２３がしごかれて断線することがある。
【００１２】
この発明は上述の課題を解決するためになされたものである。
【課題を解決するための手段】
【００１３】
上記発明が解決しようとする課題を達成するためにこの発明の光ファイバケーブルは、２本の光ファイバ素線又は光ファイバ心線からなる光ファイバと、この光ファイバを挟んでその両側に平行に配置された少なくとも一対の抗張力体と、前記光ファイバと一対の抗張力体とを被覆した外被と、前記一対の抗張力体の中心軸を通る第１平面と垂直で、かつ前記各光ファイバが接する接点を通る第２平面の両側の離れた前記外被の表面に形成されたノッチとで長尺の光エレメント部を構成する光ファイバケーブルであって、前記接点を中心に前記２本の光ファイバ素線又は光ファイバ心線からなる光ファイバを前記第１平面に対して回転させ、前記各光ファイバの中心を通る第３平面と前記第１平面との回転角度が反時計方向回りまたは時計方向回りに１０°以上で７０°以下に前記光ファイバが配列されていることを特徴とするものである。
【００１４】
この発明の光ファイバケーブルは、前記光ファイバケーブルにおいて、  前記外被の断面が矩形形状であること、前記外被の断面が円形形状であること、前記光エレメント部に、支持線を外被で被覆した長尺のケーブル支持線部が互いに平行に一体化されていることが好ましい。
【発明の効果】
【００１５】
以上のごとき課題を解決するための手段の説明から理解されるように、この発明によれば、前記各光ファイバの中心を通る第３平面と前記第１平面との回転角度が反時計方向回りまたは時計方向回りに１０°以上で７０°以下に前記光ファイバが配列されていることで、光ファイバの光ファイバ素線又は光ファイバ心線を引き裂く時の光ファイバの光ファイバ素線又は光ファイバ心線の取り出し性を向上させることができる。
【発明を実施するための最良の形態】
【００１６】
以下、この発明の実施の形態について図面を参照して詳細に説明する。
【００１７】
図１（Ａ）を参照するに、この発明の光ファイバケーブルとしての例えばインドア光ファイバケーブル１は、２本の光ファイバ素線又は光ファイバ心線からなる光ファイバ３と、この光ファイバ３を挟んでその両側に平行に配置された少なくとも一対の抗張力体５と、前記光ファイバ３と一対の抗張力体５とを被覆した断面形状が矩形形状からなる外被７と、前記光ファイバ３と一対の抗張力体５の中心軸（Ｘ軸）を通る第１平面９と垂直で、かつ前記２本の光ファイバ３が接する接点１１（Ｙ軸）を通る第２平面１３の両側の離れた前記外被７の表面に形成されたノッチ１５とで長尺の光エレメント部１７を構成している。しかも、各光ファイバ３の中心３Ａ、３Ｂを反時計方向回りに回転させて、前記接点１１、各光ファイバ３の中心３Ａ、３Ｂを通る平面を第３平面１９とし、前記第１平面９と第３平面１９との回転角度をθとする。
【００１８】
そして、前記光ファイバ３としての例えば光ファイバ素線２１は、図４（Ａ）に示されているように、石英光ファイバ２３とこの石英光ファイバ２３に被覆されたＵＶ樹脂２５とで構成されている。また、前記光ファイバ３としての例えば光ファイバ心線２７は、図４（Ｂ）に示されているように、石英光ファイバ２３とこの石英光ファイバ２３外周上に
被覆されたシリコン樹脂２９と、このシリコン樹脂２９外周上に被覆された例えばポリアミド樹脂３１とで構成されている。
【００１９】
また、この発明の光ファイバケーブルとしての例えば光ファイバドロップケーブル３３は、図２（Ａ）に示されているように、前記図１（Ａ）で示した長尺の光エレメント部１７とこの光エレメント部１７における外被７の図２（Ａ）において左側に首部３５を介して吊り線３７を被覆した外被３９が一体化されてケーブル支持線部４１とで構成されている。しかも、前記吊り線３７の中心軸（Ｘ軸）を通る平面は前記第１平面９と一致している。しかも、各光ファイバ３の中心３Ａ、３Ｂを反時計方向回りに回転させて、前記接点１１、各光ファイバ３の中心３Ａ、３Ｂを通る平面を第３平面１９とし、前記第１平面９と第３平面１９との回転角度をθとする。さらに、前記光ファイバ３としての例えば光ファイバ素線２１、光ファイバ心線２７は上述したごとく図４（Ａ）、（Ｂ）で説明したものと同じである。
【００２０】
この発明の光ファイバケーブルとしての例えば丸型光ファイバケーブル４３は、図３（Ａ）に示されているように、例えば２本の光ファイバ素線又は光ファイバ心線からなる光ファイバ３と、この光ファイバ３を挟んでその両側に平行に配置された少なくとも一対の抗張力体５と、この前記光ファイバ３と一対の抗張力体５とを被覆した断面形状が丸形形状からなる外被７と、前記光ファイバ３と一対の抗張力体５の中心軸（Ｘ軸）を通る第１平面９と垂直で、かつ前記光ファイバ３の中心軸（Ｙ軸）を通る第２平面１３の両側の離れた前記外被７の表面に形成されたノッチ１５で長尺の光エレメント部１７を構成している。しかも、各光ファイバ３の中心３Ａ、３Ｂを反時計方向回りに回転させて、前記接点１１、各光ファイバ３の中心３Ａ、３Ｂを通る平面を第３平面１９とし、前記第１平面９と第３平面１９との回転角度をθとする。そして、前記光ファイバ３としての例えば光ファイバ素線１７、光ファイバ心線２３は上述したごとく図４（Ａ）、（Ｂ）で説明したものと同じである。
【００２１】
上記構成により、図１（Ａ）、図２（Ａ）および図３（Ａ）に示したインドア光ファイバケーブル１、ドロップ光ファイバケーブル３３および丸型光ファイバケーブル４１において、上のノッチ１５の底点１５Ａと光ファイバ３の中心３Ｂとの引き裂き線４５の距離Ｌ１は上のノッチ１５の底点１５Ａと光ファイバ３の中心３Ａとの引き裂き線４７の距離Ｌ２（Ｌ１＜Ｌ２）および下のノッチ１５の底点１５Ｂと光ファイバ３の中心３Ａとの引き裂き線４９の距離Ｌ３は上のノッチ１５の底点１５Ａと光ファイバ３の中心３Ｂとの引き裂き線５１の距離Ｌ４（Ｌ３＜Ｌ４）のとき、すなわち、前記接点１１を中心に前記２本の光ファイバ素線２１又は光ファイバ心線２７からなる光ファイバ３を前記第１平面９に対して反時計方向回りに回転させ、前記各光ファイバ３の中心を通る第３平面１９と前記第１平面９との回転角度θを適正化することで、引き裂き線４５、引き裂き線４９に沿って引き裂くことにより、図（Ｂ）、図２（Ｂ）および図３（Ｂ）に示したごとく、各光ファイバ３に亀裂が走ることで開口部が大きくなり、各光ファイバ３の取り出し性を容易に向上させることができる。
【００２２】
前記第３平面１９と前記第１平面９との回転角度θを適正化するために、回転角度θと亀裂の発生状況および光ファイバ心線２７の取り出し性を常温、−２０℃で確認した。なお、常温環境下での光ファイバ心線２７の取り出し性は光ファイバケーブル１ｍを引き裂いた際に２本の光ファイバ心線２７をつめを使わずに指の腹で簡単に取り出せる場合を良、つめを使ってようやく光ファイバ心線２７が取り出せる場合をやや良、取り出せない場合を不良とした。また、−２０℃環境下での光ファイバ心線２７の取り出し試験は、試験数ｎ＝２０の試料から光ファイバ心線２７を取り出した際の断線発生回数をカウントした。その結果は表１に示すとおりである。
【表１】
2006113105.tif 000003
【００２３】
表１から判るように、回転角度が１０°を越えるとノツチ１５に相当する亀裂は両光ファイバ心線２７へ走り、良好な光ファイバ心線２７の取り出し性を得られることが確認された。また、断線の発生も見られなかった。
【００２４】
なお、この発明は前述した実施の形態に限定されることなく、適宜な変更を行うことによりその他の態様で実施し得るものである。上記実施の形態では、回転角度θを反時計方向回りに回転させた角度θの例で説明したが、図１（Ａ）、図２（Ａ）および図３（Ａ）に示したインドア光ファイバケーブル１、光ファイバドロップケーブル３３および丸型光ファイバケーブル４１において、上のノッチ１５の底点１５Ａと光ファイバ３の中心３Ｂとの引き裂き線４５の距離Ｌ１は上のノッチ１５の底点１５Ａと光ファイバ３の中心３Ａとの引き裂き線４７の距離Ｌ２（Ｌ１＞Ｌ２）および下のノッチ１５の底点１５Ｂと光ファイバ３の中心３Ａとの引き裂き線４９の距離Ｌ３は上のノッチ１５の底点１５Ａと光ファイバ３の中心３Ｂとの引き裂き線５１の距離Ｌ４（Ｌ３＞Ｌ４）のとき、すなわち、前記接点１１を中心に前記２本の光ファイバ素線又は光ファイバ心線からなる光ファイバ３を前記第１平面９に対して時計方向回りに回転させ、前記各光ファイバ３の中心を通る第３平面１９と前記第１平面９との回転角度θを適正化すること、すなわち、回転角度１０°以上、７０°以下でも、引き裂き線４７、引き裂き線５１に沿って引き裂くことにより、図１（Ｂ）、図２（Ｂ）および図３（Ｂ）に示したと同様に、各外被７に亀裂が走ることで開口部が大きくなり、各光ファイバ３の取り出し性を容易に向上させることができる。
【図面の簡単な説明】
【００２５】
【図１】（Ａ）はこの発明の充実型光ファイバケーブルとしての例えばインドア光ファイバケーブルの断面図、（Ｂ）は（Ａ）のインドア光ファイバケーブルにおいてノッチを起点として外被を引き裂いたときの光ファイバ素線又は光ファイバ心線からなる光ファイバを取り出す状態を示した図である。
【図２】（Ａ）はこの発明の充実型光ファイバケーブルとしての例えば光ファイバドロップケーブルの断面図、（Ｂ）は（Ａ）の光ファイバドロップケーブルにおいてノッチを引き裂いたときの光ファイバ素線又は光ファイバ心線からなる光ファイバを取り出す状態を示した図である。
【図３】（Ａ）はこの発明の光ファイバとしての例えば丸型光ファイバケーブルの断面図、（Ｂ）は（Ａ）の丸型光ファイバケーブルにおいてノッチを起点として外被を引き裂いたときの光ファイバ素線又は光ファイバ心線からなる光ファイバを取り出す状態を示した図である。
【図４】（Ａ）はこの発明に使用する光ファイバとしての光ファイバ素線の断面図、（Ｂ）はこの発明に使用する光ファイバとしての光ファイバ心線の断面図である。
【図５】（Ａ）は従来の充実型光ファイバケーブルとしての例えばインドア光ファイバケーブルの断面図、（Ｂ）は（Ａ）のインドア光ファイバケーブルにおいてノッチを起点として外被を引き裂いたときの光ファイバ素線又は光ファイバ心線からなる光ファイバを取り出す状態を示した図である。
【図６】（Ａ）は従来の充実型光ファイバケーブルとしての例えば光ファイバドロップケーブルの断面図、（Ｂ）は（Ａ）の光ファイバドロップケーブルにおいてノッチを起点として外被を引き裂いたときの光ファイバ素線又は光ファイバ心線からなる光ファイバを取り出す状態を示した図である。
【図７】（Ａ）は従来の充実型光ファイバケーブルとしての例えば丸型光ファイバケーブルの断面図、（Ｂ）は（Ａ）の丸型光ファイバケーブルにおいてノッチを起点として外被を引き裂いたときの光ファイバ素線又は光ファイバ心線からなる光ファイバを取り出す状態を示した図である。
【図８】（Ａ）は従来使用している光ファイバとしての光ファイバ素線の断面図、（Ｂ）はこの発明に使用する光ファイバとしての光ファイバ心線の断面図である。
【符号の説明】
【００２６】
１  インドア光ファイバケーブル（光ファイバケーブル）
３  光ファイバ
３Ａ、３Ｂ  中心
５  抗張力体
７  外被
９  第１平面
１１  接点
１３  第２平面
１５  ノッチ
１５Ａ、１５Ｂ  底点
１７  光ファイバエレメント部
１９  第３平面
２１  光ファイバ素線
２３  石英光ファイバ
２５  ＵＶ樹脂
２７  光ファイバ心線
２９  シリコン樹脂
３１  ポリアミド樹脂
３３  光ファイドロップバケーブル
３５  首部
３７  吊り線
３９  外被
４１  ケーブル支持部
４３  丸型光ファイバケーブル
４５、４７、４９、５１  引き裂き線
【図１】
2006113105.tif 000004
【図２】
2006113105.tif 000005
【図３】
2006113105.tif 000006
【図４】
2006113105.tif 000007
【図５】
2006113105.tif 000008
【図６】
2006113105.tif 000009
【図７】
2006113105.tif 000010
【図８】
2006113105.tif 000011